(57)【要約】【課題】軽薄短小化のニーズに応えつつ、フラット状のケーブルからコネクタを取り外さなくても筒型ヒンジにフラット状のケーブルを通すこと。【解決手段】同軸ケーブル３００を平面的に並列し、当該並列状態にある同軸ケーブルの両端にコネクタ１Ａを取り付けて構成されるフラット状のケーブルＩのコネクタ１Ａを、携帯電話３２８の電気的構成部品Ｐに含まれかつコネクタ１Ａと対応関係にある相手方コネクタ５に接続することで、電気的構成部品Ｐ同士を電気的に接続し、当該接続前に携帯電話３２８のヒンジ部３２４に含まれる筒型ヒンジ３２８に同軸ケーブル３００を通すためのフラット状のケーブルＩの挿通構造であって、コネクタ１Ａは、コネクタ１Ａに同軸ケーブル３００を巻き付けることで形成されるケーブル巻き付け部Ｒの始端部Ｒ１をコネクタ内部に位置づける切欠き部１３を有することを特徴とするフラット状のケーブルの挿通構造。【選択図】図１
2006127989.tif 000002
【特許請求の範囲】
【請求項１】
複数のケーブル（３００）が平面的に並列され、それらの少なくとも一端にコネクタ（１Ａ，１Ｂ）が取り付けられたフラット状のケーブル（Ｉ）を前記コネクタ（１Ａ，１Ｂ）ごと、各種機器（３２０）の一構成部品である筒状部材（３２８）に通す、フラット状のケーブル（Ｉ）の挿通構造であって、
前記コネクタ（１Ａ，１Ｂ）は、当該コネクタ（１Ａ，１Ｂ）に前記ケーブル（３００）を巻き付けることで形成されるケーブル巻き付け部（Ｒ）の始端部（Ｒ１）をコネクタ内部に位置づける切欠き部（１３）を有することを特徴とするフラット状のケーブル
の挿通構造。
【請求項２】
前記コネクタ（１Ａ，１Ｂ）は、
基台となるハウジング（７）と、
このハウジング（７）に前記複数のケーブル（３００）の先端部（３００ａ）を保持するケーブル保持具（８，１０）と、
このケーブル保持具（８，１０）を覆うアッパーシェル（１２）と、
前記各種機器（３２０）の電気的構成部品（Ｐ）に含まれる相手方コネクタ（５，５Ｂ）と一端側で接合し、他端側で前記ケーブル（３００）と接合関係にあるコンタクト（２１）とを備え、
前記アッパーシェル（１２）に前記切欠き部が形成されていることを特徴とする請求項１に記載のフラット状のケーブルの挿通構造。
【請求項３】
前記切欠き部（１３）は、前記アッパーシェル（１２）の側縁に平行に又は斜めに入れられていることを特徴とする請求項２に記載のフラット状のケーブルの挿通構造。
【請求項４】
前記機器は携帯電話（３２０）であることを特徴とする請求項１から３のいずれかに記載のフラット状のケーブルの挿通構造。
【請求項５】
前記筒状部材（３２８）は、携帯電話（３２０）の液晶画面部（３２０ａ）と当該液晶画面部（３２０ａ）に操作内容を表示または実行させる操作ボタン部（３２０ｂ）とを連結するヒンジ部（３２４）に適用されていることを特徴とする請求項４に記載のフラット状のケーブルの挿通構造。
【請求項６】
複数のケーブル（３００）が平面的に並列され、それらの少なくとも一端にコネクタ（１Ａ，１Ｂ）が取り付けられたフラット状のケーブル（Ｉ）を前記コネクタ（１Ａ，１Ｂ）ごと、各種機器（３２０）の一構成部品である筒状部材（３２８）に通す、フラット状のケーブル（Ｉ）の挿通構造であって、
前記コネクタ（１Ａ，１Ｂ）には、当該コネクタ（１Ａ，１Ｂ）に前記ケーブル（３００）を巻き付けることで形成されるケーブル巻き付け部（Ｒ）の巻き径（Ｒ１）を小さくし、もって、前記筒状部材（３２８）にケーブル（３００）をコネクタ（１Ａ，１Ｂ）ごと通し易くする切欠き部（１３）が形成されていることを特徴とするフラット状のケーブルの挿通構造。
【請求項７】
複数のケーブル（３００）を平面的に並列し、当該並列状態にあるケーブル（３００）の少なくとも一端にコネクタ（１Ａ，１Ｂ）を取り付けて構成されるフラット状のケーブル（Ｉ）を前記コネクタ（１Ａ，１Ｂ）ごと、各種機器（３２０）の一構成部品である筒状部材（３２８）に通すケーブルの挿通方法であって、
前記コネクタ（１Ａ，１Ｂ）には、予め当該コネクタ（１Ａ，１Ｂ）に前記ケーブル（３００）を巻き付けると、当該ケーブル（３００）の巻き付けによって形成されるケーブル巻き付け部（Ｒ）の巻き径を小さくするための切欠き部（１３）を形成しておき、
当該切欠き部（１３）に前記複数のケーブル（３００）をあてがった状態で前記ケーブル（３００）を前記コネクタ（１Ａ，１Ｂ）に巻き付け、
当該ケーブル（３００）が巻き付けられたコネクタ（１Ａ，１Ｂ）を前記筒型部材（３２８）に通すフラット状のケーブルの挿通方法。
【発明の詳細な説明】
【技術分野】
【０００１】
本発明はフラット状のケーブルの挿通技術に関する。
【背景技術】
【０００２】
携帯電話機やパーソナルコンピュータ等、多量の情報を伝達する通信機器では、高い周波数の信号を伝達するケーブルとして、主に同軸ケーブルが用いられている。
図１７に示すように、複数の同軸ケーブル３００を平面的に並列し、それらの両端（図１７では一端側のみ示す）に薄型のコネクタ３０１を取り付けてフラット状のケーブル（又はプラグコネクタハーネス）Ｉにされる。
【０００３】
携帯電話機やパーソナルコンピュータ等の各種機器においては、それらを構成する各種部品のうち電気的構成部品同士をフラット状のケーブルＩで接続することにより、大量のデータのやりとりや処理を部品間で行う。なお、図１７における符号３０５は、コネクタ３０１と対応関係にあり各種機器の電気的構成部品の一つである基板Ｐ上に設けられた相手方コネクタを示す。
【０００４】
図１８〜図２０は、フラット状のケーブルＩが適用される折り畳み式携帯電話の一例を示す。携帯電話３２０は、外側に図示しないカメラが搭載された液晶画面部３２０ａと、当該液晶画面部３２０ａに操作した内容を表示したり実行させる操作ボタン部３２０ｂとを有し、筐体内に配線されているフラット状のケーブルＩにより、液晶画面部３２０ａと操作ボタン部３２０ｂとが電気的に接続されている。
【０００５】
携帯電話３２０は、液晶画面部３２０ａと操作ボタン部３２０ｂとを連結するヒンジ部３２４を介して、液晶画面部３２０ａを操作ボタン部３２０ｂ側に対して折り畳んだり、または液晶画面部３２０ａを１８０度回動したりできる周知の回転二軸ヒンジ構造が採用されている。
【０００６】
ヒンジ部３２４はその横軸３２６ｈを回動軸として液晶画面部３２０ａを折り畳むことができる。さらに、縦軸３２６ｖを回動軸として液晶画面部３２０ａを反転させることでカメラ撮影をいろんなアングルで行える。そしてこれらの動作を実現するためのものが、横軸３２６ｈ上および縦軸３２６ｖ上に位置する両端開口で扁平な筒型ヒンジ（筒状部材）３２８である。
【０００７】
携帯電話３２０の一構成部品である筒型ヒンジ３２８は、縦軸３２６ｖ上に一つと、横軸３２６ｈ上に２つ（図では横軸３２６ｈ上に１つのみ示す）設けられ、液晶画面部（３２０ａ）を前記操作ボタン部（３２０ｂ）に対して可動させるためのものである。
【０００８】
ところで、携帯電話機やパーソナルコンピュータ等では、いっそうの小型軽量化が望まれており、当然ながらこれら機器の構成部品にも影響し軽薄短小化を迫られている。筒型ヒンジ３２８にあっても例外ではない。
【０００９】
また筒型ヒンジ３２８にはフラット状のケーブルＩが通されていることがわかる（図１９及び図２０参照）。
【００１０】
フラット状のケーブルＩには数十本の同軸ケーブル３００からなり、それらの両端にはコネクタ３０１が付いている。ところでこのようなフラット状のケーブルＩをそのまま筒型ヒンジ３２８に通すことは、筒型ヒンジ３２８の通し孔３２８ａに対しフラット状のケ
ーブルＩが大きく無理があった。かといって筒型ヒンジ３２８の外径寸法を変えずに筒型ヒンジ３２８の通し孔３２８ａを大きくすると、筒型ヒンジ３２８の肉厚が薄くなり、強度的な問題を惹起する。
【００１１】
よって、筒型ヒンジ３２８の外径寸法を変えずにかつ通し孔３２８ａの直径寸法を大きくせずにフラット状のケーブルＩを筒型ヒンジ３２８に通すには、コネクタ３０１を同軸ケーブル３００に取り付ける前に同軸ケーブル３００のみを通し孔３２８ａに挿通し、その後、同軸ケーブル３００にコネクタ３０１を取り付けざるをえない。
【００１２】
しかしながら、このようにすると数十本からなる同軸ケーブル３００に筒型ヒンジ３２８を外嵌した状態で、前記外したコネクタ３０１を同軸ケーブル３００に接続する必要があり、筒型ヒンジ３２８が邪魔になって同軸ケーブル３００とコネクタ３０１との接続作業がし難い。
【００１３】
また、数十本の同軸ケーブル３００は、筒型ヒンジ３２８に通されることで筒状になり、それまで平面的であったものが立体的になる。したがって、当該立体的な状態のフラット状のケーブルＩを平面的なコネクタ３０１に接続するには、筒状の同軸ケーブル３００の先端部を平面的になるよう広げなければならず作業性が悪い。
【００１４】
さらに導体の直径が０．５ｍｍ以下の極細線同軸ケーブルにあってこのような作業を行うことは、いっそう作業性の悪化を招来するので高度の組み立て技術が要求される。
【特許文献１】特開２００２−１８５５８６
【特許文献２】特開２００２−８７６５
【特許文献３】特許第３４５１３９３号
【発明の開示】
【発明が解決しようとする課題】
【００１５】
本発明はこのような実情に鑑みて為されたものである、その解決しようとする課題は、市場における軽薄短小化のニーズに応えつつ、同軸ケーブルにコネクタが取り付いたままでもフラット状のケーブルを筒型ヒンジに通すことができる新たな技術を提供することにある。
【課題を解決するための手段】
【００１６】
そこで、本発明では次の手段を採用した。
すなわち、本発明は、複数のケーブルが平面的に並列され、それらの少なくとも一端にコネクタが取り付けられたフラット状のケーブルを前記コネクタごと、各種機器の一構成部品である筒状部材に通す、フラット状のケーブルの挿通構造であって、前記コネクタは、当該コネクタに前記ケーブルを巻き付けることで形成されるケーブル巻き付け部の始端部をコネクタ内部に位置づける切欠き部を有することを特徴とする。
【００１７】
本発明のフラット状のケーブルの挿通構造によれば、コネクタ内部に設けた切欠き部にケーブルをあてがってケーブルをある程度巻き付けていくことで形成されるケーブル巻き付け部は、当該切欠き部のないコネクタにケーブルを巻き付けた場合と比べ、巻き径は当然小さくなる。したがって、筒状部材にコネクタごと同軸ケーブルを通す場合において、筒状部材の通し孔の径を大きくする必要がない。
【発明の効果】
【００１８】
よって本発明によれば、同軸ケーブルのみを、筒状部材に挿通し、その後、同軸ケーブルにコネクタを取り付けてフラット状のケーブルの形態にする必要がない。すなわち、市場における軽薄短小化のニーズに応えつつ、フラット状のケーブルのまま筒状部材に通す
ことができる。このため作業効率がよい。
【発明を実施するための最良の形態】
【００１９】
本発明の実施の形態（以下、実施形態）を添付した図面を参照して説明する。
なお、従来技術で説明したと同一部分には同一の符号を付して説明を省略する。
【００２０】
図１〜図４からわかるように、フラット状のケーブルＩは、コネクタ１Ａと、複数のケーブル３００（本実施の形態では同軸ケーブル３００として説明する）とを有している。
【００２１】
コネクタ１Ａは、基台となるハウジング７と、このハウジング７に取り付けられ、複数の同軸ケーブル３００をその先端部において横断状に交差する状態で保持するケーブル保持具８，１０と、ハウジングに取り付けられたケーブル保持具８，１０を覆うアッパーシェル１２とを有している。
【００２２】
ハウジング７は、合成樹脂その他の絶縁性樹脂でできており、図３〜図６からわかるように、同軸ケーブル３００の先端部３００ａ（図５，図６参照）が取り付けられる本体部１４と、相手方コネクタ５との接合部となる差し込み部１５と、差し込み部１５に保持され同軸ケーブル３００の数と同数で同軸ケーブル３００の延びる方向に延在するコンタクト２１とを有する。
【００２３】
本体部１４は、その中央部に上方及び後方に開口する扁平直方体形中空部１６（特に図２参照）を有し、その側壁１７，１７には、中空内に突出する支持柱１８がそれぞれ対向して形成されている。支持柱１８を境に扁平直方体形中空部１６は区分けされる。すなわち、扁平直方体形中空部１６は、差し込み部１５側に位置する前方側中空部１６ａとこれと反対側に位置する後方側中空部１６ｂとに区分けされる。なお、この明細書において前後とは、同軸ケーブル３００をコネクタ１Ａに取り付けた場合における同軸ケーブル３００の延びる方向において差し込み部１５のある側が前であり、これと反対側を後ということにする。上及び下は、例えば各図に正対した場合における上方側及び下方側を指すものとする。
【００２４】
前方側中空部１６ａと後方側中空部１６ｂとは連通されており、共に上方に開口する。後方側中空部１６ｂは、差し込み部１５のある側と反対の側にも開口する。扁平直方体形中空部１６の後方側中空部１６ｂに設けられた後方開口から同軸ケーブル３００が後方に延びる。同軸ケーブル３００の先端部はコンタクト２１と接続される。
【００２５】
本体部１４の側部には、係止溝１４ａ１を有する翼片部１４ａ，１４ａを有する（特に図２，図３参照）。さらに、ハウジング７の本体部１４の上面先端縁両側には、突起１４ｄ，１４ｄが形成されている。係止溝１４ａ１や突起１４ｄについては後述する。
【００２６】
同軸ケーブル３００をコネクタ１Ａに取り付けるにあたり、同軸ケーブル３００は、その先端部３００ａの外皮が剥離されて信号線３０６と外部導体３０８とが露出された状態にある（図５，図６参照）。詳しくは、同軸ケーブル３００の先端部３００ａは、外部絶縁体３１０及び外部導体３０８が共に剥離されて信号線３０６が露出された部位と、その直後に位置し外部絶縁体３１０が残っている残皮部分３１０ａと、残皮部分３１０ａの直後に位置し外部絶縁体３１０のみが剥離され外部導体３０８が露出された部位とからなる。なお、信号線３０６は、内部導体３０２を内部絶縁体３０４で被覆したものである。
【００２７】
コンタクト２１は、コネクタ１Ａが相手方コネクタ５と嵌合されるにあたり（図１参照）、当該相手方コネクタ５のコンタクト５１（後述）と接触する。コンタクト２１は、同軸ケーブル３００の先端部３００ａが圧接される圧接部２１ａを有する（図５，図６参照
）。圧接部２１ａは、ハウジング７の前記前方側中空部１６ａに位置し、コンタクト２１が同軸ケーブル３００と接続される部分である。圧接部２１ａは、コンタクト２１が同軸ケーブル３００と接続されるにあたり、同軸ケーブル３００の信号線３０６の内部絶縁体３０４を破ってその内部にある内部導体３０２と圧接されるものである、その結果、同軸ケーブル３００とコンタクト２１とが導通可能になる。
【００２８】
後方側中空部１６ｂの底板部には、貫通穴２２が複数形成されている（図４参照）。貫通穴２２については後述する。
【００２９】
ケーブル保持具８は、前方側中空部１６ａに対応しており（図２及び図３参照）、同軸ケーブル３００の信号線３０６を保持した状態で、前方側中空部１６ａに嵌合される（図３及び図４参照）。ケーブル保持具８が前方側中空部１６ａに嵌合されると、前記のごとくコンタクト２１の圧接部２１ａに同軸ケーブル３００の先端部３００ａの内部導体３０２が圧接される。
【００３０】
またケーブル保持具８は、ハウジング７に対向する側（下側）に開口する中空直方体形状をなす。ケーブル保持具８の前・後壁８ａ・８ｂ（図２，図４参照）には、同軸ケーブル３００の数と同数で、信号線３０６をそれぞれ保持する複数の保持溝２４が前・後壁８ａ・８ｂで対向して櫛歯状に形成されている（図４，図５参照。但し後壁８ｂに形成の保持溝２４のみ示す）。保持溝２４は、逆Ｕ字形をなし、信号線３０６を挟持する（図４参照）。
【００３１】
ケーブル保持具１０は、後方側中空部１６ｂに対応しており（図２及び図３参照）、同軸ケーブル３００の先端部３００ａにおける外部導体３０８とその直後に位置する外部絶縁体３１０とを保持した状態で、後方側中空部１６ｂに嵌合される（図２〜図６参照）。本実施の形態においてケーブル保持具１０は、その横断面形状が逆Ｕ字状で、かつ左右方向に開口したチャネル状の中空体である。なお、左・右とは、例えば図２や図５に正対してその左右の側、換言すれば同軸ケーブル３００の先端部３００ａ側に向かって左側及び右側である。
【００３２】
ケーブル保持具１０は、組み立て時におけるその横断面形状が逆Ｕ字状であるとともに当該逆Ｕ字状にされたことにより対向するようにされた一対の対向壁である前・後壁１０ａ・１０ｂは、櫛形状になるように櫛歯状部２６が複数形成されている。なお、例えば図２〜６に示す符号１０ｃは、前・後壁１０ａ・１０ｂを繋ぐ壁部であり、上方に位置するので、便宜上天井壁ということにする。
【００３３】
さらに、前壁１０ａにおける櫛歯状部２６同士の間のスリット２８に同軸ケーブル３００の外部導体３０８を深く差し込んで挟持し、後壁１０ｂの櫛歯状部２６同士の間のスリット２９に同軸ケーブル３００の外部絶縁体３１０を深く差し込んで挟持し、当該挟持状態で前記複数の同軸ケーブル３００をハウジング７に一度に保持する。これらスリット２８，２９は対向しており、同軸ケーブル３００の数と同数形成されている。
【００３４】
また、後方側中空部１６ｂに形成されている前記複数の貫通穴２２は（図４参照）、櫛歯状部２６に対応して形成されている。詳しくは、後方側中空部１６ｂには、その底板部表面に良導性に優れた銅その他の良導体（矩形状の金属板）１９が取り付けられ（図４〜図６参照）、当該良導体１９に貫通穴１９ａが形成され、この貫通穴１９ａと同軸になるように貫通穴２２がハウジング７に形成されている。ここで良導体１９はハウジング７にオーバモールドにより一体成型しても、ハウジング７に対して嵌め込めるようにしてもよい。
【００３５】
アッパーシェル１２は、同軸ケーブル３００に組み込まれたケーブル保持具１０に当接した状態でハウジング７を覆うとともに（図１，図３参照）、コネクタ１Ａを相手方コネクタ５に接続後、電気的接触を図るとともに両者の結合を強固にするためのものである。
【００３６】
アッパーシェル１２は、上壁と、この上壁に対してＬ字形に折り曲げられた左右の側壁とを有しそれ故、前後方向に対して直角方向の断面形状が扁平でほぼ逆Ｕ字状をしたシェルである。そしてアッパーシェル１２にハウジング７を入れることで前記上壁及び側壁によりハウジング７の上面，側面及び下面の一部が保持される。前記上壁及び側壁には、アッパーシェル１２の内側に折り曲げられた曲げ片１２ａ及び１２ｂが形成されている。
【００３７】
上壁の曲げ片１２ａは、ケーブル保持具１０の天井壁１０ｃに接触し（図６参照）、同軸ケーブル３００の外部導体３０８を流れる電気をアッパーシェル１２に流すためのものである。
【００３８】
左右の側壁の曲げ片１２ｂ，１２ｂ（図１，図３では左側にある曲げ片１２ｂのみ示す。）は、アッパーシェル１２のハウジング７からの抜けを防止するためのものであり、ハウジング７の本体部１４の各翼片部１４ａにその高さ方向に延在された係止溝１４ａ１と係止する。
【００３９】
アッパーシェル１２の上壁先端部両側、及び側壁のうち前記上壁に平行な部分の先端部両側には、相手方コネクタ５との係止用突起１２ｃ，１２ｃ，１２ｃ，１２ｃ（図面では上壁に形成された係止突起のみ示す。）が形成されている。係止用突起１２ｃについては、相手方コネクタ５についての説明で述べる。
【００４０】
さらにアッパーシェル１２の上壁先端縁両側には、前方に開口し、ハウジング７の本体部１４の突起１４ｄ，１４ｄと嵌合する矩形穴１２ｄ，１２ｄが形成されている（図１，図３参照）。突起１４ｄと矩形穴１２ｄとが嵌合することで、アッパーシェル１２がハウジング７に必要以上に差し込まれないようになっている。突起１４ｄと矩形穴１２ｄとの嵌合により、アッパーシェル１２の曲げ片１２ｂがハウジング７の係止溝１４ａ１に係止される。
【００４１】
加えてアッパーシェル１２の上壁後端縁は下方に折り曲げられ、横断面で横倒しＬ字形の鉤状部１２ｅが形成されている（図１及び図３参照）。鉤状部１２ｅを形成することにより、アッパーシェル１２の上壁には、その後縁部には、後縁に平行な切欠き部１３が形成されるようになる。鉤状部１２ｅにより同軸ケーブル３００の先端部３００ａが押圧され、同軸ケーブルの散（ばら）けを防止する。
【００４２】
次に相手方コネクタ５について述べる。
相手方コネクタ５は、コネクタ１Ａと嵌合するようになっており、基台となる相手方ハウジング４９（図１参照）と、相手方ハウジング４９の全体をカバーし、かつ導電性を有する扁平な中空矩形体であって、携帯電話３２０内に設けられている基板Ｐに半田付けされた相手方シェル５０と、相手方シェル５０に収納されている相手方ハウジング４９と、相手方ハウジング４９に取り付けられ、コネクタ１Ａのコンタクト２１と接触する相手方コンタクト５１とを有する。相手方コンタクト５１とコンタクト２１とは同数設けられている。
【００４３】
相手方シェル５０は、その後方側中央部をその後端縁に沿って矩形に切り取られたごとき形態をしている。そして、相手方シェル５０の上壁・下壁後端両側には、コネクタ１Ａの既述した係止用突起１２ｃ，１２ｃ，１２ｃ，１２ｃが係止される係止穴５０ｃ、５０ｃ（図面では上壁に形成された２つの係止穴５０ｃと下壁に形成された１つの係止穴５０
ｃのみ示す。）が形成されている。係止用突起１２ｃと係止穴５０ｃとが係止することで、コネクタ１Ａと相手方コネクタ５との抜けが防止される。
【００４４】
また、相手方シェル５０の左右の側壁には、コネクタ１Ａとの嵌合時、コネクタ１Ａのアッパーシェル１２の両側を弾撥的に押圧するバネ片５２がそれぞれ１つずつ設けられている（図１では片側のバネ片５２のみ示す）。バネ片５２はこれがアッパーシェル１２に当接することにより、コネクタ１Ａと相手方コネクタ５との間での通電を行う。よってコネクタ１Ａと相手方コネクタ５が嵌合すると、同軸ケーブル３００の外部導体３０８を流れる電気が基板Ｐに落とされ、グランドを取ることができる。
【００４５】
さらに相手方シェル５０の左右側壁のうちバネ片５２の前方（相手方シェル５０がコネクタ１Ａと嵌合する側と反対の側）には、それぞれ相手方シェル５０の中空内に折り曲げられた係止用バネ片５３が設けられている（図１参照）。係止用バネ片５３は、前記相手方ハウジング４９からの抜けを防止するために相手方ハウジング４９の図示しない係合部とその弾撥力により係合する。
【００４６】
コネクタ１Ａを組み付けるには、図５及び図２からわかるように、まず同軸ケーブル３００をケーブル保持具８とケーブル保持具１０とで保持する。その後、ケーブル保持具８をハウジング７の前方側中空部１６ａに嵌合して信号線３０６を圧接部２１ａに圧接することと、ケーブル保持具１０を後方側中空部１６ｂに嵌合してケーブル保持具１０の前記櫛歯状部２６の先端部２６ａを良導体１９の貫通穴１９ａ及びハウジング７の貫通穴２２に貫通させ、その後先端部２６ａを曲げて貫通穴１９ａからの抜けを抑制するようにする。このようにして、同軸ケーブル３００をハウジング７に組み付ける（図４参照）。
【００４７】
ケーブル保持具８とケーブル保持具１０とを備えた同軸ケーブル３００をハウジング７に組み付けた後は、図３に示すようにアッパーシェル１２を同軸ケーブル３００の後方からハウジング７に近づけて行き、図３や図１からわかるにアッパーシェル１２をハウジング７に組み付けてフラット状のケーブルＩを形成する。
【００４８】
その後、コネクタ１Ａと相手方コネクタ５とを嵌合するが（図１参照）、背景技術の説明で述べたように、コネクタ１Ａのコンタクト２１と相手方コネクタ５の相手方コンタクト５１とが電気的に接続され（図１参照）、携帯電話３２０の液晶画面部３２０ａと操作ボタン部３２０ｂとの間では同軸ケーブル３００を経由して信号が操作ボタン部３２０ｂ側から液晶画面部３２０ａに向けて伝達され、操作ボタン部３２０ｂにより操作した内容を液晶画面部３２０ａに表示したり実行したりするようになる。
【００４９】
なお、既述したように、同軸ケーブル３００の他方の端部にもコネクタ１Ａが取り付けられており、携帯電話３２０の操作ボタン部３２０ｂに設けた図示しない相手方コネクタ５と接続される。
【００５０】
次にフラット状のケーブルＩを用いて携帯電話の液晶画面部３２０ａと操作ボタン部３２０ｂとの電気的接続を行う前段階として必要な、背景技術の説明で述べた筒型ヒンジ３２８に対するフラット状のケーブルＩの通し方について図７〜図１０を参照して述べる。
【００５１】
筒型ヒンジ３２８にフラット状のケーブルＩを通す前の状態である図７の状態から図８に示すように、複数の同軸ケーブル３００を切欠き部１３にあてがった状態で前記同軸ケーブル３００をアッパーシェル１２の上面に当接するように半周ほど巻き付けつつ、同軸ケーブルを後方に引っ張ってテンションを掛ける。そしてその状態のまま図９に示すように当該同軸ケーブル３００が巻き付けられた（同軸ケーブル３００がアッパーシェル１２の上面に宛がわられた）コネクタ１Ａを前記筒型ヒンジ３２８の通し孔３２８ａに通し、
図１０に示すように当該コネクタ３２８を全部通し孔３２８ａから引き出してコネクタへの同軸ケーブルの巻き付けを解く。その後は当該通されたコネクタ１Ａを相手方コネクタ５と接続させる。なお、同軸ケーブル３００をアッパーシェル１２の上面に当接するように半周ほど巻き付けた部分をケーブル巻き付け部と呼称し、符号Ｒで示す。またケーブル巻き付け部Ｒの始端部を符号Ｒ１で示す。
【００５２】
次に図１１および図１２を用いて、アッパーシェル１２に切欠き部１３を形成した場合としなかった場合との効果上の差異を説明する。
【００５３】
図１１および図１２は共にコネクタの縦断面図であり、図１１はアッパーシェル１２に切欠き部１３を形成した本実施形態に係るコネクタ１Ａの縦断面図であり、図１２は背景技術に係るコネクタ３０１の縦断面図である。
【００５４】
両図において、円弧Ｃｉは、巻き付け部Ｒの大きさを比較するための仮想円弧である。
図１２よりも図１１の方が、ケーブル巻き付け部Ｒの始端部Ｒ１が円弧の中心寄り（コネクタ内部）に位置していることがわかる。このため、コネクタ１Ａにあっては、同軸ケーブル３００を巻き付けることで形成されるケーブル巻き付け部Ｒの巻き径が小さくなり、ケーブル巻き付け部Ｒが円弧Ｃｉ内に収まるのに対し、アッパーシェル１２に切欠き部１３を形成していない図１２にあっては、ケーブル巻き付け部Ｒが円弧Ｃｉ内に収まらないことがわかる。
【００５５】
よって、円弧Ｃｉを筒型ヒンジ３２８の通し孔３２８ａとして考察するに、複数の同軸ケーブル３００をコネクタ１Ａごと筒型ヒンジ３２８に通す場合において、筒型ヒンジ３２８の通し孔３２８ａの径を大きくする必要がなく、また、筒型ヒンジ３２８に無理入れせずともケーブルＩをコネクタごと筒型ヒンジに通し易いフラット状のケーブルの挿通構造が実現したといえる。
【００５６】
したがって、市場における軽薄短小化のニーズに応えることができるのは勿論、同軸ケーブル３００にコネクタ３０１を取り付けた状態で、すなわちフラット状のケーブルＩのまま筒型ヒンジ３２８に同軸ケーブル３００を通すことができる。このため作業効率がよくなる。
【００５７】
なお、上記コネクタ１Ａは、相手方コネクタに対して水平方向に移動することで接続される水平式とよばれる。これに対し、相手方コネクタに対して垂直方向にコネクタを移動することで接続するものを垂直式と呼称する。
【００５８】
図１３は垂直式のコネクタ１Ｂおよび相手方コネクタ５Ｂを示すものである。水平式と垂直式の違いは、主として既述のようにコネクタを相手方コネクタに対して接続する方向が相違することと、それ故にコンタクトが水平式の場合は、ハウジングに対して平行であるのに対し、垂直式の場合はハウジングに対して直角である点にある。
【００５９】
垂直式にあっても図１３および図１４に示すように、アッパーシェル１２に切欠き部１３を形成することができる。また図１５は、アッパーシェル１２に切欠き部１３が形成されていないコンタクト１１Ｂを示す。
【００６０】
図１４および図１５から明らかなように、ケーブル巻き付け部Ｒの始端部Ｒ１の円弧Ｃｉからの距離Ｌが本実施形態に係るコンタクト１Ｂの方がコンタクト１１Ｂよりも大きいことがわかる。
【００６１】
よって垂直式の場合もアッパーシェル１２に切欠き部１３を形成することで水平式と同
様、ケーブル巻き付け部Ｒの巻き径が小さくなる。この結果、水平式の場合と同様、コネクタ１を外さずともそのままフラット状のケーブルを筒型ヒンジ３２８に通すことができるので作業効率がよい。
【００６２】
また、既述した切欠き部１３は、アッパーシェル１２の側縁に沿って平行に入れられたものであったが、図１６のようにアッパーシェル１２の側縁に対して斜めであってもよい。このようにすると切欠き部１３の深さが左右方向で違いを生じるが、筒型ヒンジ３２８の通し孔３２８ａに同軸ケーブル３００を巻き付けたコネクタ３０１を入れるにあたり、同軸ケーブル３００にある程度テンションを掛けた方が同軸ケーブル３００がばらけ難くなって通し易い（図８参照）。このため、当該引っ張り力の掛かる方向に複数の同軸ケーブル３００は偏りがちになるので、当該方向に進むほど切欠きの深さを大きくした方が、同軸ケーブル３００の収まりはよくなり、もってケーブル巻き付け部Ｒの巻き径を大きくすることを抑制することができる。
【００６３】
また、コネクタへのケーブルの巻き付けを行うにあたり、切欠き部１３が形成されていると、作業者はこの切り欠き部１３を目安に同軸ケーブルの巻き付けをどちら周りにしたらよいかの判断になる。加えて切り欠き部１３が斜めであると、既述した同軸ケーブル３００に掛ける既述テンションをどちら方向にしたらよいかの目安にもなる。
【００６４】
なお、コネクタを水平式のみにして、または垂直式のみにして並びに両者を混合して同軸ケーブルの両端にそれぞれ用いることができる。
【００６５】
また、本発明は、上述の図示例にのみ限定されるもはなく、本発明の要旨を逸脱しない範囲内において種々変更を加え得ることは勿論である。
【００６６】
例えば、本実施形態では筒型ヒンジ３２８は外形が円筒形をしているが角柱状であってもよいし、また同軸ケーブルの場合で説明したが、他のケーブルを用いてもよく、これらの場合も既述したと同様の作用効果を奏する。
【図面の簡単な説明】
【００６７】
【図１】相手方コネクタに本発明に係るコネクタを接続する直前の状態を示す分解斜視図である。
【図２】本発明に係るコネクタのハウジングに同軸ケーブルを接続する前の状態を示す分解斜視図である。
【図３】ハウジングにケーブル保持具を用いて同軸ケーブルを接続したものにアッパーシェルを被覆する状態を示す図である。
【図４】図３のＩＶ−ＩＶ線斜視図である。
【図５】同軸ケーブルにケーブル保持具を組み付ける前の状態を示す分解斜視図である。
【図６】図１のＶＩ−ＶＩ線断面図である。
【図７】同軸ケーブルを筒型ヒンジにコネクタごと通す前の状態を示す図である。
【図８】図７に連続する図であって、同軸ケーブルをコネクタに巻き付けて、同軸ケーブルを筒型ヒンジにコネクタごと通す直前の状態を示す図である。
【図９】図８に連続する図であって、同軸ケーブルをコネクタに巻き付けて、筒型ヒンジに通している状態を示す図である。
【図１０】図９に連続する図であって、筒型ヒンジをコネクタが通った直後の状態を示す図である。
【図１１】水平式コネクタを用いた場合の効果を説明するための図である。
【図１２】図１１との比較図であって本発明の効果を示す図である。
【図１３】垂直式のコネクタに応用した場合を示す図である。
【図１４】垂直式コネクタを用いた場合の効果を説明するための図である。
【図１５】図１３との比較図であって本発明の効果を示す図である。
【図１６】切欠き部の応用例を示す図である。
【図１７】フラット状のケーブルを説明するための図である。
【図１８】フラット状のケーブルが適用される折り畳み式携帯電話の一例を示す図である。
【図１９】図１８に示す携帯電話の筐体の一部を透過した状態で示す図である。
【図２０】図１８に示す携帯電話の筐体の一部を取り除けて示す図である。
【符号の説明】
【００６８】
１Ａ  コネクタ（水平式）
１Ｂ  コネクタ（垂直式）
１１Ｂ  コネクタ（垂直式の比較コネクタ）
５  相手方コネクタ
５Ｂ  相手方コネクタ
７  ハウジング
８  ケーブル保持具
８ａ  前壁
８ｂ  後壁
１０  ケーブル保持具
１０ａ  前壁
１０ｂ  後壁
１０ｃ  天井壁
１２  アッパーシェル
１２ａ  曲げ片
１２ｂ  曲げ片
１２ｃ  係止用突起
１２ｄ  矩形穴
１２ｅ  鉤状部
１３  切欠き部
１４  本体部
１４ａ  翼片部
１４ａ１  係止溝
１４ｄ  突起
１５  差し込み部
１６  扁平直方体形中空部
１６ａ  前方側中空部
１６ｂ  後方側中空部
１７  側壁
１８  支持柱
１９  良導体
１９ａ  貫通穴
２１  コンタクト
２１ａ  圧接部
２２  貫通穴
２４  保持溝
２６  櫛歯状部
２６ａ  先端部
２８  スリット
２９  スリット
４９  相手方ハウジング
５０  相手方シェル
５０ｃ  係止穴
５１  相手方コンタクト
５２  バネ片
５３  係止用バネ片
３００  同軸ケーブル
３００ａ  先端部
３０１  コネクタ
３０２  内部導体
３０４  内部絶縁体
３０５  相手方コネクタ
３０６  信号線
３０８  外部導体
３１０  外部絶縁体
３１０ａ  残皮部分
３２０  携帯電話
３２０ａ  液晶画面部
３２０ｂ  操作ボタン部
３２４  ヒンジ部
３２６ｈ  横軸
３２６ｖ  縦軸
３２８  筒型ヒンジ（筒状部材）
３２８ａ  通し孔
Ｃｉ  仮想円弧
Ｉ  フラット状のケーブル
Ｌ  円弧Ｃｉからの距離
Ｐ  基板
Ｒ  巻き付け部
Ｒ１  ケーブル巻き付け部の始端部
【図１】
2006127989.tif 000003
【図２】
2006127989.tif 000004
【図３】
2006127989.tif 000005
【図４】
2006127989.tif 000006
【図５】
2006127989.tif 000007
【図６】
2006127989.tif 000008
【図７】
2006127989.tif 000009
【図８】
2006127989.tif 000010
【図９】
2006127989.tif 000011
【図１０】
2006127989.tif 000012
【図１１】
2006127989.tif 000013
【図１２】
2006127989.tif 000014
【図１３】
2006127989.tif 000015
【図１４】
2006127989.tif 000016
【図１５】
2006127989.tif 000017
【図１６】
2006127989.tif 000018
【図１７】
2006127989.tif 000019
【図１８】
2006127989.tif 000020
【図１９】
2006127989.tif 000021
【図２０】
2006127989.tif 000022